(57)【要約】【課題】和服の着物を着用する際に、紐を結ぶことを省略し数分内の短時間に着脱ができ、簡単着物の仕組みの全体のなかで帯締めを結ぶことにより必要な時間と手間を省略することができるワンタッチ帯締めを提供することを課題とする。【解決手段】ワンタッチ帯締めを、和服の着物の帯の上から帯を締めるに適合する素材を用いた帯締め紐１ａ、１ｂの１対のそれぞれの一端に装飾的な結び目２を形成し、他端に１対の紐１ａ、１ｂが互いに着脱自在、かつ長さ調整可能な調節部を有する係止具３を備え、係止具３を着脱するだけで短時間に帯締め可能としたものである。【選択図】図１
2009120970.tif 000002
【特許請求の範囲】
【請求項１】
和服の着物の帯の上から帯を締めるに適合する素材を用いた帯締め紐１ａ、１ｂの１対のそれぞれの一端に装飾的な結び目２を形成し、他端に１対の紐１ａ、１ｂが互いに着脱自在、かつ長さ調整可能な調節部を有する係止具３を備え、係止具３を着脱するだけで短時間に帯締め可能としたワンタッチ帯締め。
【請求項２】
和服の着物の帯の上から帯を締めるに適合する素材を用いた帯締め紐１の両端に、帯締め紐１の両端が互いに着脱自在で、かつ長さ調整可能な調節部を有する係止具３を備え、帯締め紐１の長さ中央位置に装飾用の帯止め２’を保持し、上記係止具３を着脱するだけで短時間に帯締め可能としたワンタッチ帯締め。
【請求項３】
前記係止具として、１対の帯締め紐１ａ、１ｂ又は１本の帯締め紐１を互いに着脱自在、かつ長さ調整可能とする調節部の雌、雄端子を有する合成樹脂性のバックル３ａを用いたことを特徴とする請求項１または２に記載のワンタッチ帯締め。
【発明の詳細な説明】
【技術分野】
【０００１】
この発明は、着物を着る際に、着物を帯で締めた上からさらに帯締めで帯の緩みを防止し、かつ格調高い伝統の和服の着物や浴衣の装飾性を兼ね備え、着物を短時間に一人で簡単に着ることができるようにするワンタッチ帯締めに関する。
【背景技術】
【０００２】
従来、伝統的な和服の着物の帯の上に使用される一般的な帯締めは、１本の帯締めの紐を帯の上から前身ごろの上の位置で互いに絡み合う結び目ができるように結んで長さと締め具合の両方を調節しながら、結び目が外観上綺麗で、例えば伝統的な丸ぐけなどの結び目となるようにし、装飾性を高くする工夫がなされている。また、１本の帯締めの紐の中央位置に装飾用のバックルを結び目の代わりとしてセットし、結び目はお太鼓の後に目立たないように通す場合もある。帯締めの紐は、細いものは幅三分（約１ｃｍ）程度で比較的硬い素材（絹、金属糸等）で形成されたものや、太いタイプのもの、或いは丸ぐけタイプのものでは断面が円形状に近く、比較的柔らかい素材の紐が使用される。
【０００３】
上記従来の帯締めは、帯の上から帯締めとしてしっかりと締めることができるようにすることは勿論であるが、主として装飾性を高めること、配色の組み合わせの多様化を図ることを目的として、種々の提案が行われている。その一例として、特許文献１の「二部式の帯締め」が公知である。この特許文献１の「二部式の帯締め」は、帯をしっかりと締めて押さえることができる実用性とともに、多様かつ高い装飾性とを兼ね備えるために、帯を締め押さえる帯締め本体と、この帯締め本体に結び付けられ、帯締め本体の装飾をなす装飾紐とからなる帯締めの構成を提案している。
【０００４】
この二部式の帯締めは、帯締め本体の紐と、装飾用の紐の２本の紐が使用され、帯締め本体の紐で帯締めとしてのしっかりした締め付けを行い、装飾帯はその上に飾り結びの方法で結び付けられる。帯締め本体の結び目は、例えば一般的な蝶々結びで結んだ後、その位置をずらしてお太鼓部分の下に位置させて隠し、この帯締め本体の上に重ねて装飾用の紐を使用し、着用者の正面位置で装飾用紐を結びつけるというものである。
【０００５】
他の例として、特許文献２の「帯締め」は、紐の種類や色柄の組み合わせを自由に変えられるようにするため、二本の紐のそれぞれが一端に結合用の輪を備え、この輪によって二本の紐を連結するようにしたというものである。実際に使用する際には、着用者が二本の紐の一方の紐の輪に他方の紐を通し、他方の紐の輪にもう一方の紐を通すことにより、二本の紐の輪と輪が互いに連結される。
【特許文献１】特開２００４−３１５９８９号公報
【特許文献２】実用新案登録第３０４０７４８号公報
【発明の開示】
【発明が解決しようとする課題】
【０００６】
ところで、伝統的な和服の着物を着用することは、簡単に着こなせる洋服が定着した現代では、特に若い世代の女性から敬遠され、日常生活では殆ど着用されないのが現状であるが、着物は日本文化の誇りであり、品格のある伝統的な着物であるからこそ、多くの日本女性が若い世代に引き継いで欲しいと願うことである。和服の着物は、日本人の民族衣装として美しく、気品を備えたものであるため、女性なら一度は着用してみたいと望むものであるが、一方で古来より長襦袢や沢山の紐、そしてその上に本来の着物を着、その上にさらに帯で締めるというのが伝統的な慣わしであるため、日常生活において着用されず、実際に着用するとなると、着物の着方を知っている人、あるいは専門家に依頼することとなり、ますます和服の着物が敬遠されることとなる。
【０００７】
そこで、一部では和服の着物を普及させる努力がなされているが、外観的な面で伝統的な格式を損なわない範囲内で和服の着物の仕組みを簡略化して、洋服並みに誰でも数分の短時間内に着こなせるように改良をすることが提案されている。このような簡略化された仕組みを有する和服の着物を出願人は「簡単着物」と称しているが、この簡単着物を着用する際に、着物は勿論、襦袢やお太鼓帯等について既に種々の提案を行ってきた。この簡単着物では、実際に有効に簡単化することを実現するために、襦袢を着たり、簡単着物を着用したりする際に、伝統的に使用されてきた紐は全て省略することにより簡単化が図られている。
【０００８】
しかし、この簡単着物に使用されている帯締めは、現状では従来からの一般的な帯締めが利用されている。上記従来の一般的な帯締めや、特許文献１、２の帯締めでは、締め付けの機能や装飾性の点では配慮がなされているが、数分内の短時間で結ぶことができるかという点での配慮はなされていない。このため、帯締めを締めるのに時間が掛かり、時間が掛かれば、簡単着物の全体の仕組みが不十分となり、簡単着物に使用する帯締めとして従来の帯締めとしての締め付けの機能や装飾性を保持することは勿論であるが、さらに紐を結ぶことを省略し短時間に着脱ができ、簡単着物の仕組みの全体のなかで帯締めを結ぶことにより必要な時間と手間を省略することが必要とされている。
【０００９】
この発明は、上記の問題に留意して、和服の着物を着用する際に、紐を結ぶことを省略し数分内の短時間に着脱ができ、簡単着物の仕組みの全体のなかで帯締めを結ぶことにより必要な時間と手間を省略することができるワンタッチ帯締めを提供することを課題とする。
【課題を解決するための手段】
【００１０】
この発明は、上記の課題を解決する手段として、和服の着物の帯の上から帯を締めるに適合する素材を用いた帯締め紐の１対のそれぞれの一端に装飾的な結び目を形成し、他端に１対の紐が互いに着脱自在、かつ長さ調整可能な調節部を有する係止具を備え、係止具を着脱するだけで短時間に帯締め可能としたワンタッチ帯締めの構成としたのである。
上記課題を解決するもう１つの手段として、和服の着物の帯の上から帯を締めるに適合する素材を用いた帯締め紐の両端に、帯締め紐の両端が互いに着脱自在で、かつ長さ調整可能な調節部を有する係止具を備え、帯締め紐の長さ中央位置に装飾用帯止めを保持し、上記係止具を着脱するだけで短時間に帯締め可能としたワンタッチ帯締めの構成とすることもできる。
【００１１】
上記いずれかのワンタッチ帯締めの発明において、係止具として、１対の帯締め紐又は１本の帯締め紐を互いに着脱自在、かつ長さ調整可能とする調節部の雌、雄端子を有する合成樹脂性のバックルを用いることができる。
【００１２】
上記の構成としたこの発明のワンタッチ帯締めは、和服の着物を着用する際に、帯を締めた後その上から帯締めで必要な締まり具合に帯を締めるとともに、伝統的な装飾性を保持しながら使用することが出来る。この場合、予め或いは帯締めを使用する際に、係止具により帯締め紐を連結しておき、帯締めの締め具合が適当となるように長さを調整する。長さ調整が適当であることを確認した後、結び目が面前となるように帯締め紐の全体をずらし、係止具がお太鼓帯のお太鼓部に隠れるようにする。これにより、係止具は外からは見えなくなるため、外観上の装飾性を損なうことがない。
【発明の効果】
【００１３】
この発明のワンタッチ帯締めは、和服の着物の帯の上から帯を締めるに適合する素材を用いた帯締め紐の１対のそれぞれの一端に装飾的な結び目を形成し、他端に１対の紐が互いに着脱自在、かつ長さ調整可能な調節部を有する係止具を備えたものとする、或いは和服の着物の帯の上から帯を締めるに適合する素材を用いた帯締め紐の両端に、帯締め紐の両端が互いに着脱自在で、かつ長さ調整可能な調節部を有する係止具を備え、帯締め紐の長さ中央位置に装飾用帯止めを保持し、上記係止具を着脱するだけで短時間に帯締め可能としたワンタッチ帯締めの構成としたから、和服の着物を着用する際に、紐を結ぶことを省略し数分内の短時間に着脱ができ、簡単着物の仕組みの全体のなかで帯締めを結ぶことにより必要な時間と手間を省略することができるという利点がある。
【発明を実施するための最良の形態】
【００１４】
以下、この発明の実施の形態について図面を参照して説明する。図１の（ａ）は第１実施形態のワンタッチ帯締めの全体外観図、（ｂ）は係止具の部分拡大図である。図示のように、この第１実施形態のワンタッチ帯締めＡ１は、和服の着物の帯の上から帯を締めるに適合する素材を用いた帯締め紐１ａ、１ｂの１対を用いて形成されている。紐１ａ、１ｂは、図示の例では、断面が薄い平面状の細紐（幅約１２ｍｍ、厚み約２ｍｍ、長さ約１．５〜１．７ｍ）が用いられている。素材は、絹糸が使用され柔らかい網組み状で、綺麗な砂模様の網模様が形成されている。ただし、その模様、素材は絹と金属糸を使用した比較的硬い素材を使用することもあり、上記素材に限られない。
【００１５】
帯締め紐１ａ、１ｂのそれぞれの一端には、伝統的で装飾的な結び目２として、例えば図示のように、丸まげ２ａを形成し、帯締め紐１ａ、１ｂの他端には１対の紐が互いに着脱自在、かつ長さ調整可能な調節部の雌、雄端を有する係止具３を備えている。係止具３は、図示の例では一般に販売されている合成樹脂製のバックル３ａが使用されているが、形状、材質、デザインは図示のものに限らず、着脱自在で、長さ調整が可能な機能を有するものであれば図示の例に限られない。この係止具３の雌端子３１には帯締め紐１ａの端末を係止し、折り返した端末を縫合止め５で止める。
【００１６】
雄端子３２には長さ調整可能にするための長さ調整部３４を有し、これに挿通され折り返された帯締め紐１ｂの端末は、自由端としている。ワンタッチで着脱自在、かつ長さ調整も可能としている。また、上記バックル３ａは、雌端子３１に雄端子３２を挿入して着脱自在に装着し、不要時には切り離すことができる。係合時には、雄端子３２の係合子３２ａの係合端が雌端子３１に係合して、係合が保持される。これにより、この例のワンタッチ帯締めは、係止具３を着脱するだけで短時間に帯締め可能としている。
【００１７】
上記丸まげ２ａは、伝統的な結び目２として形成し、帯締めの装飾性を高めるのに必要な要素である。この結び目２は、単なる帯締め用の紐として形成しただけでは、帯の上から締める必要時に、結び方を知らない人には時間がかかり、着物の着付け作業の面倒な要素の１つである。従って、この実施形態のワンタッチ帯締めＡ１では、予めこの結び目２を１対の帯締め紐１ａ、１ｂの両端に形成しておけば、着物の着付け時にこの結び目２を自分でその都度形成する作業をする必要がなくなる。この帯締め紐１ａ、１ｂの余り長さ部分１ａ’、１ｂ’は、結び目２から延びるように残すのが伝統的な形状であり、その端末には房４、４がそれぞれ装飾性を高めるために形成されている。
【００１８】
上記の構成としたこの実施形態のワンタッチ帯締めＡ１は、図２Ａ，図２Ｂに示すように、着物着用時にお太鼓帯Ｏｂを締めた上から着用する。その際、図示省略しているが、まずお太鼓帯Ｏｂの背中位置のお太鼓部分Ｏｔに帯締め紐１ａ、１ｂを挿通しておき、そして係止具３のバックル３ａの雌、雄端子３１、３２を手の届く、例えば横位置において、雌、雄端子３１、３２により１対の帯締め紐１ａ、１ｂを装着し、予め結び目２を正面に向ける前に、係止具３による長さ調整をして締め具合を確認する。その後お太鼓帯Ｏｂの背面のお太鼓部分Ｏｔに係止具３のバックル３ａの位置を移動させるとともに、結び目２が正面に向くように帯締め全体をずらして移動させる。これにより、数分の短時間内に帯締め作業が完了する。
【００１９】
図２Ｂの（ｄ）図に、係止具３の変形例として、面ファスナ３’を使用した例を示している。帯締めとしての締め具合と長さ調整ができ、かつ着脱自在であれば、この例のような他の形式の係止具を採用することもできる。（ｅ）図は、係止具３としてホック３”を使用した例である。ホックの受け部材の位置を数箇所に設けておき、その位置を締め具合に応じて選択すれば、締め具合を調節できる。この例でも、着脱自在、締め具合と長さを調整することができる。上記いずれの形式のものも使用できるが、使用の状態に応じてそのいずれかの形式を選択すればよい。
【００２０】
図３は第２実施形態のワンタッチ帯締めＡ２の全体外観図を示す。この実施形態のワンタッチ帯締めＡ２は、１本の帯締め紐１の両端に係止具３のバックル３ａを取り付けて形成した例を示している。帯締め紐１には、予め帯止め２’の金具２ｋ、２ｋを挿通して中央位置に来るように設定しておき、バックル３ａをワンタッチで連結することにより帯締めすることができる。この場合も、帯締め紐の長さはバックル３ａの長さ調整部３４により予め所定の締め具合に設定しておき、バックル３ａを結合するだけで、帯締め作業は完了する。従って、このワンタッチ帯締めＡ２により数分の短時間内に帯締め作業が完了する。
【００２１】
なお、上記各実施形態では、素材は、絹糸が使用され柔らかい網組み状で、綺麗な砂模様の網模様が形成されるとしたが、その模様、素材は絹と金属糸を使用したもの以外にも帯締めに適する素材であれば、断面が平面状、円形状、四角形状のいずれでもよく、各種の紐形状のものを利用することができる。
【産業上の利用可能性】
【００２２】
この発明のワンタッチ帯締めは、和服の着物の帯の上から帯を締めるに適合する素材を用いた帯締め紐に装飾的な結び目と、紐が互いに着脱自在、かつ長さ調整可能な調節部を有する係止具を備え、係止具を着脱するだけで短時間にワンタッチで帯締め可能としたものであり、簡単着物に使用することが出来、かつ浴衣等にも広く利用できる。
【図面の簡単な説明】
【００２３】
【図１】第１実施形態のワンタッチ帯締めの全体外観図
【図２Ａ】同上のワンタッチ帯締めを和服の着物に使用する際の装着説明図
【図２Ｂ】（ｃ）同上のワンタッチ帯締めを和服の着物に使用する際の装着説明図（ｄ）係止具の他の形式としての面ファスナの例の部分拡大図（ｅ）係止具の他の形式としてのホックを利用した例の部分拡大図
【図３】第２実施形態のワンタッチ帯締めの全体外観図
【符号の説明】
【００２４】
１            帯締め紐
１ａ、１ｂ    帯締め紐
２            結び目
２ａ          丸まげ
２’          帯止め
３            係止具
３’          面ファスナ
３”          ホック
３ａ          バックル
４、４        房
５            縫合止め
Ａ１、Ａ２    ワンタッチ帯締め
【図１】
2009120970.tif 000003
【図２Ａ】
2009120970.tif 000004
【図２Ｂ】
2009120970.tif 000005
【図３】
2009120970.tif 000006